(57)【要約】      （修正有）【課題】容易に操作して簡単に長さを調整することができる杖の伸縮調整位置決め構造を提供する。【解決手段】外管１０、内管２０、連動ロッド３０、押し部材４０及び拡張部材５０を備える。外管１０は、一端にハンドル１１が接続され、他端に位置規制スリーブ１２が固定される。位置規制スリーブ１２の内縁には、ストッパ部１２１が形成される。外管１０の内表面には、雌ねじ山１４が形成される。内管２０は、一端に滑り止めベース２１が嵌合され、他端に形成された外縁に突出部２２が形成される。内管２０の突出部２２の端部が外管１０に挿設され、突出部２２が位置規制スリーブ１２のストッパ部１２１を介して分離しないように位置拘束され、内管２０の中段部には長溝２３が形成される。連動ロッド３０は、一端にねじ部３１が形成され、他端にロッドスリーブ３２が固定される。【選択図】図２
0003188681.tif 000002
【実用新案登録請求の範囲】
【請求項１】
外管、内管、連動ロッド、押し部材及び拡張部材を備えた杖の伸縮調整位置決め構造であって、
前記外管は、一端にハンドルが接続され、他端に位置規制スリーブが固定され、前記位置規制スリーブの内縁には、ストッパ部が形成され、前記外管の内表面には、雌ねじ山が形成され、
前記内管は、一端に滑り止めベースが嵌合され、他端に形成された外縁に突出部が形成され、前記内管の前記突出部の端部が前記外管に挿設され、前記突出部が前記位置規制スリーブの前記ストッパ部を介して分離しないように位置拘束され、前記内管の中段部には長溝が形成され、
前記連動ロッドは、一端にねじ部が形成され、他端にロッドスリーブが固定され、前記ロッドスリーブには、貫通孔が横向きに形成され、前記ねじ部の端部が前記外管に挿設され、前記ロッドスリーブの端部が前記内管中に挿設され、前記内管の外表面には、握りスリーブが嵌合され、前記握りスリーブに挿設されたピンは、前記内管の長溝と前記ロッドスリーブの前記貫通孔とに挿設され、前記連動ロッドの中段部には、ストッパ片が突設され、
前記押し部材は、一端に錐形表面が形成され、他端が前記内管に挿設されるとともに、ロッド孔を有し、前記ロッド孔には、前記連動ロッドの前記ねじ部の端部が挿設され、前記押し部材と前記ストッパ片との間にはスプリングが挟持され、
前記拡張部材は、軸孔を有し、前記軸孔を介して前記連動ロッドに設けられた前記ねじ部の一端に嵌合されるとともに、前記ねじ部にナットが螺合されて前記拡張部材と前記押し部材とが位置拘束され、前記拡張部材には、前記押し部材に向かう方向で複数の拡張片が延設され、前記拡張片が前記連動ロッドの周りに設置され、前記拡張片の末端外縁には、弾力スリーブが嵌合され、前記押し部材の錐形表面が前記拡張片に押し付けられると、前記外管の雌ねじ山に前記弾力スリーブが強く押し付けられて前記外管及び前記内管の長さが固定されることを特徴とする杖の伸縮調整位置決め構造。
【請求項２】
前記握りスリーブの表面には、環溝が形成され、
前記環溝には、軟質カバーが嵌合され、前記軟質カバーによりピンを遮い、前記握りスリーブを手で握って押す力を加えることを特徴とする請求項１に記載の杖の伸縮調整位置決め構造。
【請求項３】
前記拡張部材の前記拡張片には、第１の環片及び第２の環片がそれぞれ形成され、
前記第１の環片及び前記第２の環片により前記弾力スリーブを挟持することを特徴とする請求項１に記載の杖の伸縮調整位置決め構造。
【請求項４】
前記押し部材の中段部外側には、リング部が突設され、
前記リング部は、前記内管の管口に当接されることを特徴とする請求項１に記載の杖の伸縮調整位置決め構造。
【請求項５】
前記外管には雄ねじが形成され、前記位置規制スリーブには雌ねじが形成され、前記雄ねじと前記雌ねじとが螺合されることを特徴とする請求項１に記載の杖の伸縮調整位置決め構造。
【請求項６】
前記ロッドスリーブには、軸方向にねじ孔が形成され、
前記ロッドスリーブのねじ孔には、前記連動ロッドが螺合されることを特徴とする請求項１に記載の杖の伸縮調整位置決め構造。
【考案の詳細な説明】
【技術分野】
【０００１】
本考案は、杖構造に関し、特に、容易に操作して簡単に長さを調整することができる杖の伸縮調整位置決め構造に関する。
【背景技術】
【０００２】
図１３及び図１４を参照する。図１３及び図１４に示すように、従来の杖の伸縮調整位置決め構造の杖６０は、主杆６１及び支杆６２を含む。主杆６１と支杆６２とが対応した箇所には、伸縮位置決め構造７０が設けられる。この伸縮位置決め構造７０は、管スリーブ７１及び拡張動作部材７２を含む。管スリーブ７１には、支杆６２が挿設されて堅固に取り付けられ、管スリーブ７１の表面には、雄ねじ部７１１が形成される。拡張動作部材７２の他端は、筒状を呈して管スリーブ７１の雄ねじ部７１１に螺合され、拡張動作部材７２の底端には、弾性爪部７２１が設けられる。管スリーブ７１は、錐形ベース８０に嵌合される。管スリーブ７１には、錐形ベース８０の底部を支える支持部７１２が設けられ、錐形ベース８０と拡張動作部材７２の弾性爪部７２１とにより傾斜面が形成され、互いに当接された状態となる。これにより拡張動作部材７２の弾性爪部７２１が外側に張り出され、主杆６１の内壁を堅固に位置決めすることができる。杖６０の長さを調整する際、支杆６２を回転させると、管スリーブ７１及び錐形ベース８０が回転し、管スリーブ７１の雄ねじ部７１１と拡張動作部材７２とを回転させて変位させることにより、拡張動作部材７２と錐形ベース８０とを締めたり緩めたりして長さを調整することができるが、従来技術には依然として以下（１）〜（３）の欠点があった。
【０００３】
（１）杖６０は、管スリーブ７１の雄ねじ部７１１により堅固に締付けられ、錐形ベース８０により拡張動作部材７２を開き、拡張動作部材７２の弾性爪部７２１を主杆６１の内壁へ強く押し付ける。押し付け強度を高める場合、より大きな力を管スリーブ７１へ加えて拡張動作部材７２を押圧しなければならないが、螺着の回転抵抗力が大きくて操作に必要な力も大きく、主杆６１に重量が加わるときに、拡張動作部材７２が管スリーブ７１の雄ねじ部７１１の箇所に強く当接されるため、拡張動作部材７２と管スリーブ７１とが引っ掛かり、支杆６２を締めたり緩めたりすることが困難となることがあった。そのため、操作が容易でない上、手間がかかる欠点があった。
【０００４】
（２）管スリーブ７１の雄ねじ部７１１と拡張動作部材７２とは、回転方式で長さを調整しなければならず、支杆６２の外表面が平滑に形成されているため、ユーザは、支杆６２を握って回転させることが容易でない上、支杆６２を回転させて長さを調整するのに時間がかかり、使用状況に応じて杖６０の長さをスピーディに変化させることができず、操作上、不便であった。
【０００５】
（３）拡張動作部材７２は、プラスチック材料からなる弾性爪部７２１が、主杆６１の滑らかな内壁に押し付けられるため、弾性爪部７２１と主杆６１の内壁との摩擦抵抗力が相対的に小さくなり、拡張動作部材７２と主杆６１とを押し付ける強度が小さくなって摺動し易くなり、歩く際に危険が生じる虞があった。
【考案の概要】
【考案が解決しようとする課題】
【０００６】
本考案の目的は、容易かつ簡単に長さを調整して利便性が高い杖の伸縮調整位置決め構造を提供することにある。
本考案のもう一つの目的は、外管と内管との結合強度を高めて安全性を高める杖の伸縮調整位置決め構造を提供することにある。
本考案のさらにもう一つの目的は、簡便に長さを調整することができ、利便性が高い杖の伸縮調整位置決め構造を提供することにある。
【課題を解決するための手段】
【０００７】
上記課題を解決するために、本考案の第１の形態によれば、外管、内管、連動ロッド、押し部材及び拡張部材を備えた杖の伸縮調整位置決め構造であって、前記外管は、一端にハンドルが接続され、他端に位置規制スリーブが固定され、前記位置規制スリーブの内縁には、ストッパ部が形成され、前記外管の内表面には、雌ねじ山が形成され、前記内管は、一端に滑り止めベースが嵌合され、他端に形成された外縁に突出部が形成され、前記内管の前記突出部の端部が前記外管に挿設され、前記突出部が前記位置規制スリーブの前記ストッパ部を介して分離しないように位置拘束され、前記内管の中段部には長溝が形成され、前記連動ロッドは、一端にねじ部が形成され、他端にロッドスリーブが固定され、前記ロッドスリーブには、貫通孔が横向きに形成され、前記ねじ部の端部が前記外管に挿設され、前記ロッドスリーブの端部が前記内管中に挿設され、前記内管の外表面には、握りスリーブが嵌合され、前記握りスリーブに挿設されたピンは、前記内管の長溝と前記ロッドスリーブの前記貫通孔とに挿設され、前記連動ロッドの中段部には、ストッパ片が突設され、前記押し部材は、一端に錐形表面が形成され、他端が前記内管に挿設されるとともに、ロッド孔を有し、前記ロッド孔には、前記連動ロッドの前記ねじ部の端部が挿設され、前記押し部材と前記ストッパ片との間にはスプリングが挟持され、前記拡張部材は、軸孔を有し、前記軸孔を介して前記連動ロッドに設けられた前記ねじ部の一端に嵌合されるとともに、前記ねじ部にナットが螺合されて前記拡張部材と前記押し部材とが位置拘束され、前記拡張部材には、前記押し部材に向かう方向で複数の拡張片が延設され、前記拡張片が前記連動ロッドの周りに設置され、前記拡張片の末端外縁には、弾力スリーブが嵌合され、前記押し部材の錐形表面が前記拡張片に押し付けられると、前記外管の雌ねじ山に前記弾力スリーブが強く押し付けられて前記外管及び前記内管の長さが固定されることを特徴とする杖の伸縮調整位置決め構造が提供される。
【０００８】
前記握りスリーブの表面には、環溝が形成され、前記環溝には、軟質カバーが嵌合され、前記軟質カバーによりピンを遮い、前記握りスリーブを手で握って押す力を加えることが好ましい。
【０００９】
前記拡張部材の前記拡張片には、第１の環片及び第２の環片がそれぞれ形成され、前記第１の環片及び前記第２の環片により前記弾力スリーブを挟持することが好ましい。
【００１０】
前記押し部材の中段部外側には、リング部が突設され、前記リング部は、前記内管の管口に当接されることが好ましい。
【００１１】
前記外管には雄ねじが形成され、前記位置規制スリーブには雌ねじが形成され、前記雄ねじと前記雌ねじとが螺合されることが好ましい。
【００１２】
前記ロッドスリーブには、軸方向にねじ孔が形成され、前記ロッドスリーブのねじ孔には、前記連動ロッドが螺合されることが好ましい。
【図面の簡単な説明】
【００１３】
【図１】本考案の一実施形態に係る杖の伸縮調整位置決め構造を示す斜視図である。
【図２】本考案の一実施形態に係る杖の伸縮調整位置決め構造を示す分解斜視図である。
【図３】本考案の一実施形態に係る杖の伸縮調整位置決め構造を示す断面図である。
【図４】本考案の一実施形態に係る杖の伸縮調整位置決め構造を使用するときの状態を示す斜視図（１）である。
【図５】本考案の一実施形態に係る杖の伸縮調整位置決め構造を使用するときの状態を示す斜視図（２）である。
【図６】本考案の一実施形態に係る杖の伸縮調整位置決め構造を伸ばすときの状態を示す断面図（１）である。
【図７】本考案の一実施形態に係る杖の伸縮調整位置決め構造を伸ばすときの状態を示す断面図（２）である。
【図８】本考案の一実施形態に係る杖の伸縮調整位置決め構造は、階段を降りるときの状態を示す斜視図である。
【図９】本考案の一実施形態に係る杖の伸縮調整位置決め構造を縮めるときの状態を示す断面図（１）である。
【図１０】本考案の一実施形態に係る杖の伸縮調整位置決め構造を縮めるときの状態を示す断面図（２）である。
【図１１】本考案の一実施形態に係る杖の伸縮調整位置決め構造を使用して階段を上がるときの状態を示す模式図である。
【図１２】本考案の一実施形態に係る杖の伸縮調整位置決め構造を使用して座った姿勢から立ち上がるときの状態を示す模式図である。
【図１３】従来技術の分解斜視図である。
【図１４】従来技術の断面図である。
【考案を実施するための形態】
【００１４】
以下、本考案の実施形態について図に基づいて説明する。なお、これによって本考案が限定されるものではない。
【００１５】
図１及び図２を参照する。図１及び図２に示すように、本考案の一実施形態に係る杖の伸縮調整位置決め構造は、少なくとも外管１０、内管２０、連動ロッド３０及び押し部材４０から構成される。外管１０は、一端にハンドル１１が接続され、他端に位置規制スリーブ１２が固定される。位置規制スリーブ１２の内縁には、ストッパ部１２１が形成される。外管１０には雄ねじ１３が形成され、位置規制スリーブ１２には雌ねじ１２２が形成され、雄ねじ１３と雌ねじ１２２とが螺着される。外管１０の内表面には、雌ねじ山１４が形成される。内管２０は、一端に滑り止めベース２１が嵌合され、滑り止めベース２１により滑り止め効果を得る。内管２０の他端の外縁には、突出部２２が形成され、内管２０の突出部２２の端部が外管１０へ挿設され、突出部２２が位置規制スリーブ１２のストッパ部１２１により分離しないように位置が拘束され、内管２０は、中段部に長溝２３が形成される。連動ロッド３０の一端には、ねじ部３１が形成され、連動ロッド３０の他端にロッドスリーブ３２が固定される。ロッドスリーブ３２には、軸方向でねじ孔３２１が形成され、連動ロッド３０が螺着方式によりロッドスリーブ３２のねじ孔３２１に螺着される。ロッドスリーブ３２には、貫通孔３２２が横向きに形成される。連動ロッド３０は、ねじ部３１の端部が外管１０に挿設され、ロッドスリーブ３２の端部が内管２０中に挿設され、連動ロッド３０の内管２０の外表面には、握りスリーブ３３が嵌合される。握りスリーブ３３には、ピン３４が挿設され、内管２０の長溝２３とロッドスリーブ３２の貫通孔３２２とにピン３４が挿設されることにより、内管２０、ロッドスリーブ３２及び握りスリーブ３３の連動関係が形成される。握りスリーブ３３の表面には、環溝３３１が形成され、環溝３３１には、軟質カバー３５が嵌合され、軟質カバー３５によりピン３４を覆い、握りスリーブ３３を手で握って押す力を加える。連動ロッド３０の中段部には、ストッパ片３６が突設される。押し部材４０は、一端に錐形表面４１が形成され、他端が内管２０に挿設される。押し部材４０は、中段部の外側にリング部４２が突設され、リング部４２が内管２０の管口に当接されて押し部材４０と内管２０とが堅固に固定される。押し部材４０には、ロッド孔４３が形成され、連動ロッド３０のねじ部３１の端部がロッド孔４３に挿設され、押し部材４０とストッパ片３６との間にスプリング４４が挟持される。拡張部材５０には、軸孔５１が形成される。拡張部材５０は、軸孔５１により連動ロッド３０に設けられたねじ部３１の一端に嵌合されるとともに、ナット５２がねじ部３１に螺着されて拡張部材５０と押し部材４０とが位置拘束される。拡張部材５０には、押し部材４０に向かう方向で複数の拡張片５３が延伸され、拡張片５３が連動ロッド３０の周りに設置される。拡張片５３の末端外縁には、弾力スリーブ５４が嵌合される。拡張部材５０の拡張片５３の箇所には、第１の環片５３１及び第２の環片５３２がそれぞれ形成され、第１の環片５３１及び第２の環片５３２により弾力スリーブ５４を挟持して位置決めし、押し部材４０の錐形表面４１と拡張片５３とが互いに押圧され、外管１０の雌ねじ山１４に弾力スリーブ５４が強く当接されて外管１０及び内管２０の長さが固定される。
【００１６】
図１〜図３を参照する。図１〜図３に示すように、本考案の一実施形態に係る杖の伸縮調整位置決め構造は、ロッドスリーブ３２のねじ孔３２１に連動ロッド３０の一端を螺着し、連動ロッド３０がロッドスリーブ３２の端部を内管２０の突出部２２端部へ挿設し、ロッドスリーブ３２の貫通孔３２２が内管２０の長溝２３に位置合わせされた後、位置規制スリーブ１２を内管２０の外表面へ嵌合させ、内管２０の突出部２２が位置規制スリーブ１２のストッパ部１２１により止められ、握りスリーブ３３が内管２０に嵌合され、ピン３４が握りスリーブ３３、長溝２３及び貫通孔３２２へ同時に挿設されて握りスリーブ３３とロッドスリーブ３２とが連結固定され、握りスリーブ３３により内管２０の長溝２３に沿って押動される。軟質カバー３５は、握りスリーブ３３の環溝３３１の箇所へ嵌合され、滑り止めベース２１は、内管２０に設けられた突出部２２の他端に嵌合され、スプリング４４を内管２０の突出部２２の端部から設置し、スプリング４４が連動ロッド３０に嵌合されると、スプリング４４の一端がストッパ片３６に当接され、押し部材４０は、ロッド孔４３により連動ロッド３０に嵌合されて内管２０へ強く押し付けられ、押し部材４０の錐形表面４１が内管２０から露出し、スプリング４４の他端が押し部材４０に当接されてから、弾力スリーブ５４が拡張部材５０の拡張片５３に嵌合され、第１の環片５３１及び第２の環片５３２により弾力スリーブ５４が位置拘束される。拡張部材５０は、軸孔５１に連動ロッド３０を挿設させて拡張片５３を押し部材４０の錐形表面４１へ向け、連動ロッド３０のねじ部３１の箇所にナット５２を螺着し、連動ロッド３０へ拡張部材５０を固定してから、内管２０は拡張部材５０の端部を外管１０中へ挿入し、位置規制スリーブ１２の雌ねじ１２２を外管１０の雄ねじ１３へ螺着し、内管２０は、位置規制スリーブ１２の端部が外管１０から外れることを防いで、最終的にハンドル１１が外管１０の他端の開口部へ螺合される。上述したステップにより、本考案の構造を完成させることができるが、これだけに限定されるわけではない。
【００１７】
図２、図４及び図５を参照する。図２、図４及び図５に示すように、実際に使用する際、まず、杖は、スプリング４４の弾力により押し部材４０と連動ロッド３０のストッパ片３６との箇所に押圧され、連動ロッド３０が常態下で滑り止めベース２１の方向を向くように強く引っ張られ、拡張部材５０を制御して押し部材４０の錐形表面４１へ拡張片５３を押し付け、錐形表面４１に形成された拡張片５３が外方へ拡張され、弾力スリーブ５４を外管１０の雌ねじ山１４へ抵触させる。ユーザが杖を使って歩く際、ユーザは身体の重心部が杖のハンドル１１の箇所まで移動し、ハンドル１１により外管１０の箇所まで重力を伝え、拡張部材５０の弾力スリーブ５４が外管１０の雌ねじ山１４に接触され、外管１０により拡張部材５０を連動して押し部材４０の錐形表面４１に押し付けられるため、押し部材４０により拡張部材５０の拡張片５３がさらに開き、ハンドル１１に重量がさらに加わり、弾力スリーブ５４と雌ねじ山１４との間の密着度が高まり、雌ねじ山１４の粗いパターンと弾力スリーブ５４の本体弾性とにより、雌ねじ山１４と弾力スリーブ５４との間の摩擦抵抗力を効果的に高め、杖を使って歩行する際の安全性を高めることができる。
【００１８】
図２、図６及び図７を参照する。図２、図６及び図７に示すように、ユーザは、一方の手でハンドル１１又は外管１０を握り、他方の手で内管２０又は滑り止めベース２１を握り、回転又は押圧動作を特に行わなくとも、直接力を加えて外管１０及び内管２０を外方へ引っ張るだけで杖を伸ばすことができる。以下、伸ばすときの状況について詳細に説明する。内管２０を引っ張ると、拡張部材５０から押し部材４０が外れ、拡張部材５０は、内管２０に形成された長溝２３により、環溝３３１及びロッドスリーブ３２を変位させ、連動ロッド３０及び拡張部材５０は、同期で内管２０に伴って引き動かされ、押し部材４０の錐形表面４１は拡張片５３に押し付けられず、弾力スリーブ５４が外管１０の雌ねじ山１４に強く押し付けられなくなり、抵抗力が無くなって外管１０及び内管２０を引っ張ることができるようになり、任意の長さへ調整して内管２０を緩めると、スプリング４４が連動ロッド３０を押動し、拡張部材５０により押し部材４０が再び押し付けられて外管１０及び内管２０の長さを固定させる。図８に示すように、長く伸ばされた杖は、ユーザが階段を降りる際、体を支えるのに使用したり、簡単に伸ばして無段式に長さを調整し、ユーザの身長と、階段の段差とに応じて杖を適宜な長さにすることができるため、使用する際の利便性が高い。図９及び図１０に示すように、杖の長さを短くする場合、ユーザは、外管１０又はハンドル１１を一方の手で握り、他方の手で内管２０を握って２本の指で握りスリーブ３３を摘み、力を加えて握りスリーブ３３をハンドル１１へ向けて押動し、このときの握りスリーブ３３は、ピン３４を連動させて内管２０の長溝２３に沿って摺動し、ロッドスリーブ３２により連動ロッド３０を同期でハンドル１１の端部に向かって変位させ、スプリング４４が僅かな圧縮を受けて拡張部材５０の拡張片５３が押し部材４０の錐形表面４１から外れ、弾力スリーブ５４が外管１０の雌ねじ山１４に接触されず、外管１０と内管２０とが全く押し付けられない状態に形成され、杖を短くすることができ、押し部材４０の錐形表面４１が拡張片５３から軸方向で外れ、拡張片５３と弾力スリーブ５４自身の収縮弾力との組み合わせにより、ユーザは握りスリーブ３３を容易に押動することができ、これにより容易に長さを短くすることができる。また、図１１及び図１２に示すように、杖を短くして階段を上がるときに使用する際、ユーザは手の長さと階段の高さとに応じて長さをスピーディに調整したり、座った状態から立ち上がる際に、ユーザは短くなった杖で支えて立ち上がるために用いたりすることができる。
【００１９】
上述したことから分かるように、本考案の杖の伸縮調整位置決め構造は、杖が簡便な伸縮調整機能を有するため、ユーザは容易かつスピーディに適宜な長さに調整することができ、力が弱くて複雑な操作が苦手な傾向にある老人でも使用できるため利便性が高い。
【００２０】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２１】
１０  外管
１１  ハンドル
１２  位置規制スリーブ
１３  雄ねじ
１４  雌ねじ山
２０  内管
２１  滑り止めベース
２２  突出部
２３  長溝
３０  連動ロッド
３１  ねじ部
３２  ロッドスリーブ
３３  握りスリーブ
３４  ピン
３５  軟質カバー
３６  ストッパ片
４０  押し部材
４１  錐形表面
４２  リング部
４３  ロッド孔
４４  スプリング
５０  拡張部材
５１  軸孔
５２  ナット
５３  拡張片
５４  弾力スリーブ
６０  杖
６１  主杆
６２  支杆
７０  伸縮位置決め構造
７１  管スリーブ
７２  拡張動作部材
８０    錐形ベース
１２１  ストッパ部
１２２  雌ねじ
３２１  ねじ孔
３２２  貫通孔
３３１  環溝
５３１  第１の環片
５３２  第２の環片
７１１  雄ねじ部
７１２  支持部
７２１  弾性爪部
【図１】
0003188681.tif 000003
【図２】
0003188681.tif 000004
【図３】
0003188681.tif 000005
【図４】
0003188681.tif 000006
【図５】
0003188681.tif 000007
【図６】
0003188681.tif 000008
【図７】
0003188681.tif 000009
【図８】
0003188681.tif 000010
【図９】
0003188681.tif 000011
【図１０】
0003188681.tif 000012
【図１１】
0003188681.tif 000013
【図１２】
0003188681.tif 000014
【図１３】
0003188681.tif 000015
【図１４】
0003188681.tif 000016